(57)【要約】【課題】  溶接不要、ねじ切り不要、かつコンパクトで、簡単に接続できる管接続方法および管接続機構を提供する。【解決手段】  ２本の管１、１ａの管端に１８０度のフレアー２を形成し、前記管１、１ａの外周にテーパーフランジ部４を有するスリーブ３を挿入し、前記両フレアー２間にガスケット５を挟み、両スリーブ３のテーパーフランジ部４をクランプ６で締め付けることによって管１と管１ａを接続する。【選択図】  図１
2006250341.tif 000002
【特許請求の範囲】
【請求項１】
管（１）と管（１ａ）を接続する管接続方法であって、２本の管（１、１ａ）の管端に１８０度のフレアー（２）を形成し、前記管（１、１ａ）の外周にテーパーフランジ部（４）を有するスリーブ（３）を挿入し、前記両フレアー（２）間にシール（５）を挟み、両スリーブ（３）のテーパーフランジ部（４）をクランプ（６）で締め付けることを特徴とする管接続方法。
【請求項２】
管（１）と管（１ａ）を接続する管接続方法であって、２本の管（１、１ａ）の管端にラップジョイントを溶接し、前記管（１、１ａ）の外周にテーパーフランジ部（４）を有するスリーブ（３）を挿入し、前記両ラップジョイント（２）間にシール（５）を挟み、両スリーブ（３）のテーパーフランジ部（４）をクランプ（６）で締め付けることを特徴とする管接続方法。
【請求項３】
管（１）と管（１ａ）を接続する管接合構造であって、管端に１８０度のフレアー（２）が形成される２本の管（１、１ａ）と、該管（１、１ａ）の外周に挿入されるスリーブ（３）と、両フレアー（２）間に挟まれるシール（５）と、両スリーブ（３）を締め付けるクランプ（６）とからなり、前記スリーブ（３）は、管（１、１ａ）の外周に挿入される円筒部（３ａ）と、該円筒部（３ａ）の端部に形成されるテーパーフランジ部（４）とからなることを特徴とする管接続構造。
【請求項４】
前記フレアー（２）とシール（５）の外径は略同一であることを特徴とする請求項３記載の管接続構造。
【請求項５】
前記テーパーフランジ部（４）の合わせ面側には、前記フレアー（２）が挿入される凹部（４ａ）が形成され、前記凹部（４ａ）の内径は、前記フレアー（２）の外径と略同一であり、前記凹部（４ａ）の深さ寸法は、フレアー（２）の厚さより若干大きいことを特徴とする請求項３または４記載の管接続構造。
【請求項６】
管（１）と管（１ａ）を接続する管接合構造であって、管端にラップジョイントが溶接された２本の管（１、１ａ）と、該管（１、１ａ）の外周に挿入されるスリーブ（３）と、両ラップジョイント間に挟まれるシール（５）と、両スリーブ（３）を締め付けるクランプ（６）とからなり、前記スリーブ（３）は、管（１、１ａ）の外周に挿入される円筒部（３ａ）と、該円筒部（３ａ）の端部に形成されるテーパーフランジ部（４）とからなることを特徴とする管接続構造。
【発明の詳細な説明】
【技術分野】
【０００１】  本発明は、管配管における管と管を接続する管接続方法および管接続構造に関するものである。
【背景技術】
【０００２】  従来、クランプ式継手として、接続する管の管端にフェルールを溶接し、両フェルール間にガスケットを挟み、両フェルールをクランプで締め付けて管を接続するものがある。前記クランプには、蝶ねじで簡単迅速に着脱できる低圧用から、ボルトナットの締め付けによる高圧用まで各種ある。上記管端にフェルールを溶接する溶接タイプの他に、管端にフェルールをねじ込むタイプ（エキスパンディングタイプ）もある（非特許文献１参照）。
また、管端つば出し継手として、図３に示すように、接続する管２１、２１ａにルーズフランジ２２を挿入し、管端につば出し加工を施し，両つば２３間にパッキン２４を挟み、ルーズフランジ２２をボルト２５、ナット２５で締め付けて管２１、２１ａを接続するものがある。
【非特許文献１】  「ＳＡＮＩＴＡＲＹ  ＳＴＡＩＮＬＥＳＳ−ＳＴＥＥＬ」、オサメ工業株式会社カタログ、１９９８年９月、ｐ．９
【発明の開示】
【発明が解決しようとする課題】
【０００３】  上記クランプ式継手は、一般的なフランジ溶接式またはねじ込み式継手と比較すると、クランプにより容易に配管施工できる点で優れているが、専用のフェルールを管端に溶接する、またはねじ込む必要があり、溶接工数や、ねじ切り工数が掛かるという問題がある。
上記管端つば出し継手は、配管を接続する際、ルーズフランジを多数のボルト・ナットで締め付ける必要があり、締め付け作業に手間が掛かるという問題がある。
本発明では、以上の問題点を解決するためになされたものであって、溶接不要、ねじ切り不要、かつ簡単に接続できる管接合方法および管接続機構を提供することを目的とする。
【課題を解決するための手段】
【０００４】  本発明は、管と管を接続する管接続方法であって、２本の管の管端に１８０度のフレアーを形成し、前記管の外周にテーパーフランジ部を有するスリーブを挿入し、前記両フレアー間にシールを挟み、両スリーブのテーパーフランジ部をクランプで締め付けることを特徴とする。
本発明は、管と管を接続する管接続方法であって、２本の管の管端にラップジョイントを溶接し、前記管の外周にテーパーフランジ部を有するスリーブを挿入し、前記両ラップジョイント間にシールを挟み、両スリーブのテーパーフランジ部をクランプで締め付けることを特徴とする。
本発明は、管と管を接続する管接合構造であって、管端に１８０度のフレアーが形成される２本の管と、この管の外周に挿入されるスリーブと、前記両フレアー間に挟まれるシールと、両スリーブを締め付けるクランプとからなり、前記スリーブは、管の外周に挿入される円筒部と、この円筒部の端部に形成されるテーパーフランジ部とからなることを特徴とする。
前記フレアーとシールの外径は略同一であることが好ましい。
前記テーパーフランジ部の合わせ面側には、前記フレアーが挿入される凹部が形成され、前記凹部の内径は、前記フレアーの外径と略同一であり、前記凹部の深さ寸法は、フレアーの厚さより若干大きいことが好ましい。
本発明は、管と管を接続する管接合構造であって、管端にラップジョイントが溶接された２本の管と、この管の外周に挿入されるスリーブと、両ラップジョイント間に挟まれるシールと、両スリーブを締め付けるクランプとからなり、前記スリーブは、管の外周に挿入される円筒部と、この円筒部の端部に形成されるテーパーフランジ部とからなることを特徴とする。
【発明の効果】
【０００５】  本発明による管接続方法および管接続構造では、従来のクランプ式継手のように、管端にフェルールを溶接したり、ねじ込んだりする必要がなく、かつクランプ機構を採用しているので、配管施工が容易となる。
【発明を実施するための最良の形態】
【０００６】  本発明の実施の形態を実施例にもとづき図面を参照して説明する。
図１は、本発明の一実施例の管接続構造を示す断面図であり、図２は、図１に示す管接続構造の分解斜視図である。
図１および図２に示すように、本発明の管接続構造は、管端に１８０度のフレアー２が形成される２本の管１、１ａと、この管１、１ａの外周に挿入されるスリーブ３と、両フレアー２間に挟まれるガスケット５と、両スリーブ３を締め付けるクランプ６とからなる。
前記スリーブ３は、管１、１ａの外周に挿入される円筒部３ａと、この円筒部３ａの端部に形成されるテーパーフランジ部４とからなる。
前記フレアー２とガスケット５の外径は略同一とされている。
前記両スリーブ３のテーパーフランジ部４の合わせ面側には、前記フレアー２が挿入される凹部４ａが形成され、前記凹部４ａの内径は、前記フレアー２の外径と略同一とされている。
前記凹部４ａの深さ寸法は、フレアー２の厚さより若干大きくし、ガスケット５の一部が凹部４ａに入り、ガスケット５の位置決めができるようにされている。また、両フレアー２間にガスケット５を挟み、両スリーブ３のテーパーフランジ部４をクランプ６で締め付けた際に、テーパーフランジ部４の合わせ面側に隙間が生じ、ガスケットの所定締め付けを可能とする寸法とされている。
前記クランプ６は、２分割されたリンク７、７ａと、このリンク７、７ａを連結するピン８とからなり、一方のリンク７には、締め付け用のアイボルト９と、アイボルト９にねじ込まれる蝶ナット１０が取り付けられ、他方のリンク７ａには、アイボルト９に対応する溝１１が形成されている。【０００７】  次に管接続方法について説明する。
接続する２本の管１、１ａの外周に前もってスリーブ３を挿入し、管端を１８０度のフレアー２を形成する。なお、管１，１ａが直管の場合、管端に１８０度のフレアー２を形成した後、スリーブ２を挿入する。
次に、両スリーブ３をスライドして管１、１ａのフレアー２の背部に当て、両フレアー２間にガスケットを挟む。次に、図１に示すように、両スリーブ３のテーパーフランジ部４の外周にクランプ６のリンク７、７ａのテーパー部をセットする。
次に、前記リンク７、７ａを蝶ナット１０で締め付けると、両スリーブ３のテーパーフランジ部４が締め付けられ、両管１、１ａのフレアー２が、ガスケット５を圧縮し、一方の管１と他方の管１ａは強固に接続される。また、ガスケット５により内部流体の気密が保持される。
上記実施例では、管端に１８０度のフレアーを形成した管を用いているが、管端にラップジョイントを溶接した管も必要に応じて用いることができる。
【図面の簡単な説明】
【０００８】
【図１】  本発明の一実施例の管接続構造を示す断面図である。
【図２】  図１に示す管接続構造の分解斜視図である。
【図３】  従来例の管端つば出し継手の断面図である。
【符号の説明】
【０００９】１、１ａ  管
２  フレアー
３  スリーブ
３ａ  円筒部
４  テーパーフランジ部
４ａ  凹部
５  ガスケット（シール）
６  クランプ
７、７ａ  リンク
８  ピン
９  アイボルト
１０  蝶ナット
１１  溝
【図１】
2006250341.tif 000003
【図２】
2006250341.tif 000004
【図３】
2006250341.tif 000005